(57)【要約】【課題】従来技術によれば、各ユニット内のタイルは連結されているが、隣り合う各ユニットタイルは連結されておらず、各ユニットに留め付け金具を使う工法も、手間と費用が掛かる為、実際には普及されにくかった。【解決手段】タイルとタイルを連結させた各タイルユニットのタイル連結部材を各タイルユニットよりはみ出さる。それを次に貼るタイルユニットの下に貼り込む事で、各タイルユニット同士をさらに連結させ、建築物全体を面連結させる。【選択図】図３
2005139896.tif 000002
【特許請求の範囲】
【請求項１】
タイルとタイルを連結させた各タイルユニットのタイル連結部材を各タイルユニットよりはみ出させ、それを次に貼るタイルユニットの下に貼り込む事で、各タイルユニット同士をさらに連結させ、建築物全体を面連結させる事を特徴とするジョイントネット。
【請求項２】
各タイルユニットのタイル連結部材を各タイルユニットよりはみ出させたことを特徴とする請求項１記載のジョイントネットを施したタイルユニット。
【請求項３】
既存のタイルユニットや請求項２のタイルユニットを貼り付けた後に、糸条のものを縦もしくは横方向の目地ミゾに張り、その両端をもしくはその中間点を躯体に機械的に取り付けた糸条のストッパー線。
【発明の詳細な説明】
【技術分野】
【０００１】  この発明は、タイル剥落防止用連結材に関する。
【背景技術】
【０００２】  従来のタイル剥落防止用タイルユニットは、各ユニット内のタイル同士をビニロンやナイロン等の化学繊維もしくは接着剤、特殊樹脂等で連結し、そのユニットを躯体に貼り付けてから各ユニットに留め付金具にて躯体に留め付けていた。
【発明の開示】
【発明が解決しようとする課題】
【０００３】  しかしながら、以上の従来技術によれば、各ユニット内のタイルは連結されているが、隣り合う各ユニットタイルは連結されておらず、各ユニットに留め付け金具を使う工法も、手間と費用が掛かる為、実際には普及されていない。
そこで、この発明は、タイル剥落防止を目的としたタイル同士が連結されたタイルユニット同士も更に連結させ、それを要所において、糸条のもので機械的に躯体に取り付け、揚げ裏部へのタイル施工、逆セットバック部などタイル施工がしにくい場所への適用が特に有効であり、建物全体を面連結させるタイルユニットを提供すると共にそれらを一括して機械的に躯体に止め付けていくことを課題とする。
【課題を解決するための手段】
【０００４】  以上の課題を解決するために、請求項１の発明は、タイルとタイルを連結させた各タイルユニットのタイル連結部材を各タイルユニットよりはみ出させ、それを次に貼るタイルユニットの下に貼り込む事で、各タイルユニット同士をさらに連結させ、建築物全体を面連結させる事を特徴とするジョイントネットである。
また、請求項２の発明は、各タイルユニットのタイル連結部材を各タイルユニットよりはみ出させたことを特徴とするジョイントネットを施したタイルユニットである。
さらに、請求項３の発明は、既存のタイルユニットや請求項２のタイルユニットを貼り付けた後に糸条のものを縦もしくは横方向に目地ミゾに張り付け、その両端もしくは中間点を機械的に躯体に取り付けたことを特徴とする糸条のストッパー線。
【発明を実施する為の最良の形態】
【０００５】  この発明の一実施形態．について、図面を参照しながら具体的且つ詳細に説明する。
【実施例１】
【０００６】  図１は、この発明のジョイントネットに建物出隅部分のタイルを施したタイルユニットを示した斜視図であり、図２・３は、この発明のジョイントネットに一般的な５０角タイル・５０二丁タイルの平物を施したタイルユニットを示した平面図である。また、図４は、ジョイントネット単体の平面図である。図５・６はジョイントネットとタイルの結合部の平面図である。【０００７】  このジョイントネット本体は、図４のように耐アルカリ性に優れたポリアミド系繊維、ポリプロピレン系繊維、ポリアクリル系繊維、ポリビニールアルコール系繊維、ポリエチレン系繊維、レーヨン系繊維、綿系繊維等の糸条の編組織や織組織からなり、目の大きさはあまりに細かいと貼り付けモルタルが十分に裏足へ回らない恐れがあり、一般的なモザイクタイル・５０角・５０二丁等に併用のできる２５ｍｍが望ましく、タイルユニットからはみ出す部分１・２を造る。【０００８】  図２・３のように１・２が少なくとも隣り合うタイルユニット外側３・４の１列のタイル半分以上にまたがる大きさで、直交しあう面１・２もしくは、３・４のどちらかにはみ出させる。【０００９】  図１のように建物出隅部分のタイルユニットは、特にタイル１個の重量が平物タイルより重いので５・６・７の方向もしくは、５・７・８の方向へジョイントネットをはみ出させ、次に貼り込むタイルユニットの三方の下になる様にする。【００１０】  図５・６の９のようにジョイントネットとタイルとの結合材は、エポキシ系、アクリル系、塩化ビニール系、合成ゴム系、ポリマーセメント等の接着剤により連結する。【００１１】  図７のように糸条の耐アルカリ性に優れたポリアミド系繊維、ポリプロピレン系繊維、ポリアクリル系繊維、ポリビニールアルコール系繊維、ポリエチレン系繊維、レーヨン系繊維、綿系繊維、もしくはステンレス線、メッキを施した金属線、ワイヤー等のものでその中間点や両端を機械的に躯体に取り付ける。
【実施形態の効果】
【００１２】  この実施形態によれば、タイルとタイルを連結させた各タイルユニットのタイル連結部材を各タイルユニットよりはみ出させ、それを次に貼るタイルユニットの下に貼り込む事で、各タイルユニット同士を縦横に連結させ、さらにそれらを糸条のもので機械的に躯体に取り付けるため、揚げ裏部へのタイル施工、逆セットバック部などタイル施工がしにくい場所への適用が特に有効であり建築物全体を面連結し、各ユニット毎に留め付け金具を打ち込む必要もなく、タイル剥落防止になる。
【実施例２】
【００１３】  図１の実施形態では、格子状のネットをタイルの連結材としたが、他の連結材をタイルユニットよりはみ出させ、それを次に貼るタイルユニットの下に敷き込むものでも良い。
【発明の効果】
【００１４】  以上説明したように、この発明によれば、各タイルユニットのタイル連結部材を各タイルユニットよりはみ出させ、それを次に貼るタイルユニットの下に貼り込む事で、各タイルユニット同士を縦横に連結させ、その上からある間隔で糸条のものを張り、その中間点や両端を機械的に躯体に取り付けるため、揚げ裏部へのタイル施工、逆セットバック部などタイル施工がしにくい場所への適用が特に有効であり建築物全体を面連結し、タイル剥落防止がしやすい。
【００１５】  また、タイル貼り後に紙を剥がす作業を不要とし、余分なゴミを発生させず、建築廃材リサイクル法にも寄与する。
【産業上の利用可能性】
【００１６】  本発明は、複数のタイルを連結して一つのユニットとしたユニットタイルを壁面へ施工するに際し、各ユニットも連結し、建物全体を面連結させ、さらにそれらを糸条のもので機械的に躯体に取り付け、その接着強度を向上させることのできる連結材に関するものであり、かつ建築廃材削減にも貢献する。
【図面の簡単な説明】
【００１７】
【図１】  この発明の一実施形態のジョイントネットに建物出隅部分のタイルを施したタイルユニットを示した斜視図。
【図２】  この発明の一実施形態ジョイントネットに一般的な５０角タイルの平物を施したタイルユニットを示した平面図である。
【図３】  この発明の一実施形態ジョイントネットに一般的な５０二丁タイルの平物を施したタイルユニットを示した平面図である。
【図４】  この発明の一実施形態ジョイントネット単体の平面図である。
【図５】  この発明の一実施形態ジョイントネットとタイルとの結合部の平面図である。
【図６】  この発明の一実施形態ジョイントネットとタイルとの結合部の平面図である。
【図７】  この発明の一実施形態ジョイントネットタイルにストッパー線を施した斜視図である。
【符号の説明】
【００１８】  １  タイルユニットよりはみ出した部分のジョイントネット
２  タイルユニットよりはみ出した部分のジョイントネット
３  タイルユニット外側部
４  タイルユニット外側部
５  タイルユニットよりはみ出した部分のジョイントネット
６  タイルユニットよりはみ出した部分のジョイントネット
７  タイルユニットよりはみ出した部分のジョイントネット
８  タイルユニット外側部
９  タイルとジョイントネットの結合部
１０  糸条のストッパー線
１１  糸条の両端を機械的に躯体と取り付けるもの
【図１】
2005139896.tif 000003
【図２】
2005139896.tif 000004
【図３】
2005139896.tif 000005
【図４】
2005139896.tif 000006
【図５】
2005139896.tif 000007
【図６】
2005139896.tif 000008
【図７】
2005139896.tif 000009